(57)【要約】【課題】フィルム等のシート状部材の挿し込み及び抜き取りを容易に行うことができるとともに、より小型で且つ挟んだシート状部材の保持力の調整範囲がより広いクリップ、及び当該クリップを備えたシャウカステンを提供する。【解決手段】平面状の表面部を有するベース部材３０Ａと、ベース部材の表面部側に設けられた保持手段とを備え、保持手段は略円柱状のころ部材４０Ａと、弾性部材４０Ｂとで構成されており、ころ部材は、ころ部材の軸が、シート状部材ｆの挿し込み方向に対して垂直となるように配置されている。そして弾性部材は、ころ部材による表面部の方向への押付け力が所定値以上となるように、ころ部材を表面部に押付けるとともに、ころ部材の軸を中心にころ部材が回転可能となるように且つころ部材と表面部との間隙が変更可能となるようにころ部材を保持する構造を有する。【選択図】        図４
2007010877.tif 000002
【特許請求の範囲】
【請求項１】
平面状の表面部を有するベース部材と、当該ベース部材の表面部側に設けられた保持手段とを備え、前記ベース部材の表面部と前記保持手段との間に挿し込まれたシート状部材の縁部を厚み方向に挟んで保持するクリップであって、
前記保持手段は略円柱状のころ部材と、弾性部材とで構成されており、
前記ころ部材は、当該ころ部材の軸が、シート状部材の挿し込み方向に対して垂直となるように配置されており、
前記弾性部材は、前記ころ部材による前記表面部の方向への押付け力が所定値以上となるように前記ころ部材を前記表面部に押付けるとともに、前記ころ部材の軸を中心に前記ころ部材が回転可能となるように且つ前記ころ部材と前記表面部との間隙が変更可能となるように前記ころ部材を保持する構造を有する、
ことを特徴とするクリップ。
【請求項２】
請求項１に記載のクリップであって、前記ベース部材に設けられたシート保持フレームを備え、
前記シート保持フレームは前記ベース部材の少なくとも一部の縁部に沿って設けられ、前記ベース部材の表面部の少なくとも一部を覆う延設部を有しており、前記延設部と前記表面部との間には前記保持手段を収容する収容空間が形成されており、
前記延設部は、前記収容空間における前記表面部と当該延設部の内壁までの距離が、前記ベース部材における前記シート保持フレームが設けられた側の縁部から対向する縁部に向かって徐々に小さくなるように、前記表面部に対して所定角度の傾斜を有するように形成されているとともに、当該傾斜の先の先端部と前記表面部との間隙が、挿し込まれるシート状部材の厚さよりも大きくなるように形成されており、
前記ころ部材は、前記収容空間内において、前記シート保持フレームが設けられた側の縁部に対して、前記ころ部材の軸が平行となるように配置され、
前記弾性部材にて、前記ころ部材の側面が前記表面部と前記延設部における前記傾斜を有した内壁とに接するように、且つ、前記ころ部材が、当該ころ部材の軸を中心に回転可能となるように、前記ベース部材における前記シート保持フレームが設けられた側の縁部から対向する縁部に向かって前記ころ部材を付勢する構造を有する、
ことを特徴とするクリップ。
【請求項３】
請求項２に記載のクリップであって、
略円柱状の前記ころ部材における両底面には、前記ころ部材の軸に沿った穴部が設けられており、
前記弾性部材は、略線状のバネ材であり、前記弾性部材の一方の端部が前記ころ部材の一方の穴部に挿入され且つ前記弾性部材の他方の端部が前記ころ部材の他方の穴部に挿入されるように形成されており、前記ころ部材の軸方向に垂直な方向から加えられた力に応じて復元力を伴って変形するように形成されている、
ことを特徴とするクリップ。
【請求項４】
請求項２または３に記載のクリップであって、
前記収容空間には、複数の保持手段が収容され、
前記収容空間を形成する前記延設部の内壁において、各保持手段の弾性部材が接する個所に、接した弾性部材を位置決めする位置決め部が設けられている、
ことを特徴とするクリップ。
【請求項５】
請求項１〜４のいずれかに記載のクリップであって、
前記ころ部材の材質が、金属または樹脂である、
ことを特徴とするクリップ。
【請求項６】
光源と、当該光源を収容するケースと、当該ケースの表面に配置されて前記光源からの光を拡散して透過させる略矩形の板状のベース部材とを備え、
前記ベース部材の少なくとも１つの辺の縁部に、請求項１〜５のいずれかに記載のクリップを設けたことを特徴とするシャウカステン。
【発明の詳細な説明】
【技術分野】
【０００１】
本発明は、Ｘ線写真フィルム等のシート状部材を挟んで固定するクリップ、及び当該クリップを備えてＸ線写真フィルム等を観察するために用いるシャウカステンに関する。
【背景技術】
【０００２】
従来より、Ｘ線写真フィルム等（以下、「フィルム等」と記載する）を観察する際、裏側から光を当てて、当該光を拡散させて透過させる透過光拡散板（ベース部材に相当）を備えたシャウカステンが、医療現場で利用されている。この透過光拡散板の表側にフィルム等のシート状部材を載置して、当該フィルム等の裏側から略均一な平面状の光を当てて観察することで、フィルム等に写りこんだ細部まで詳細に観察することができる。
通常、シャウカステンでは、透過光拡散板を垂直に配置し、透過光拡散板の表側の上部において、フレーム部と透過光拡散板との間に形成された間隙にフィルム等を挿し込んで、当該フィルム等を固定している。
例えば特許文献１に記載の従来技術では、図７（Ａ）に示す医用画像表示装置１００が提案されており、透過光拡散板１２０（この場合、ＣＲＴ表面）と上部フレームに設けられたクリップ１１０にて、挿し込まれたフィルム等を固定する構造が開示されている。
また特許文献２に記載の従来技術では、図７（Ｂ）に示す発光装置１５０が提案されており、透過光拡散板１７０と上部フレームに設けられたフィルム支持部材１６０にて、挿し込まれたフィルム等を固定する構造が開示されている。
また特許文献３に記載の従来技術では、図７（Ｃ）に示す掲示物ハンガーが提案されており、垂直部２３０の面とクリップローラ２２０との間にペーパーを下から挿し込んで、垂直部２３０とクリップローラ２２０とでペーパーを挟んで吊り下げるクリップ部２００の構造が開示されている。
【特許文献１】特開２００１−２３５７０４号公報
【特許文献２】特開２００４−１７１９７５号公報
【特許文献３】特開２００５−１４１０００号公報
【発明の開示】
【発明が解決しようとする課題】
【０００３】
特許文献１に記載した従来技術によるクリップ部の構造では、透過光拡散板１２０（この場合、ＣＲＴ表面）と上部フレームに設けられたクリップ１１０との間隙Ｌ１００の寸法の誤差により、フィルム等を挿し込む際に比較的大きな力で挿し込まなければならなくなったり（間隙が小さくなる誤差の場合）、挿し込まれたフィルム等が落下してしまったり（間隙が大きくなる誤差の場合）する可能性がある（フィルム等の厚さは薄いので、例えば０．１［ｍｍ］程度の誤差でも発生する可能性がある）。
また、特許文献２に記載した従来技術によるクリップ部の構造も同様に、透過光拡散板１７０と上部フレームに設けられたフィルム支持部材１６０との間隙Ｌ１５０の寸法の誤差により、同様な現象が発生する可能性がある。
また、特許文献３に記載した従来技術によるクリップでは、比較的重いシート（例えばＸ線写真フィルム等）を固定するためには、クリップローラ２２０の質量を大きくする必要がある。この場合、クリップローラ２２０の径が大きくなり、クリップ部２００の張り出し量が多くなり、大型化するため好ましくない。また、挟んだシート状部材の保持力の調整範囲はクリップローラ２２０の質量の範囲でしか調整できないため、調整範囲が比較的狭い。
本発明は、このような点に鑑みて創案されたものであり、フィルム等のシート状部材の挿し込み及び抜き取りを容易に行うことができるとともに、より小型で且つ挟んだシート状部材の保持力の調整範囲がより広いクリップ、及び当該クリップを備えたシャウカステンを提供することを課題とする。
【課題を解決するための手段】
【０００４】
上記課題を解決するための手段として、本発明の第１発明は、請求項１に記載されたとおりのクリップである。
請求項１に記載のクリップは、平面状の表面部を有するベース部材と、当該ベース部材の表面部側に設けられた保持手段とを備え、前記ベース部材の表面部と前記保持手段との間に挿し込まれたシート状部材の縁部を厚み方向に挟んで保持するクリップであって、前記保持手段は略円柱状のころ部材と、弾性部材とで構成されており、前記ころ部材は、当該ころ部材の軸が、シート状部材の挿し込み方向に対して垂直となるように配置されている。
そして前記弾性部材は、前記ころ部材による前記表面部の方向への押付け力が所定値以上となるように前記ころ部材を前記表面部に押付けるとともに、前記ころ部材の軸を中心に前記ころ部材が回転可能となるように且つ前記ころ部材と前記表面部との間隙が変更可能となるように前記ころ部材を保持する構造を有する。
【０００５】
また、本発明の第２発明は、請求項２に記載されたとおりのクリップである。
請求項２に記載のクリップは、請求項１に記載のクリップであって、前記ベース部材に設けられたシート保持フレームを備えている。
前記シート保持フレームは前記ベース部材の少なくとも一部の縁部に沿って設けられ、前記ベース部材の表面部の少なくとも一部を覆う延設部を有しており、前記延設部と前記表面部との間には前記保持手段を収容する収容空間が形成されており、前記延設部は、前記収容空間における前記表面部と当該延設部の内壁までの距離が、前記ベース部材における前記シート保持フレームが設けられた側の縁部から対向する縁部に向かって徐々に小さくなるように、前記表面部に対して所定角度の傾斜を有するように形成されているとともに、当該傾斜の先の先端部と前記表面部との間隙が、挿し込まれるシート状部材の厚さよりも大きくなるように形成されている。
そして前記ころ部材は、前記収容空間内において、前記シート保持フレームが設けられた側の縁部に対して、前記ころ部材の軸が平行となるように配置され、前記弾性部材にて、前記ころ部材の側面が前記表面部と前記延設部における前記傾斜を有した内壁とに接するように、且つ、前記ころ部材が、当該ころ部材の軸を中心に回転可能となるように、前記ベース部材における前記シート保持フレームが設けられた側の縁部から対向する縁部に向かって前記ころ部材を付勢する構造を有する。
【０００６】
また、本発明の第３発明は、請求項３に記載されたとおりのクリップである。
請求項３に記載のクリップは、請求項２に記載のクリップであって、略円柱状の前記ころ部材における両底面には、前記ころ部材の軸に沿った穴部が設けられており、前記弾性部材は、略線状のバネ材であり、前記弾性部材の一方の端部が前記ころ部材の一方の穴部に挿入され且つ前記弾性部材の他方の端部が前記ころ部材の他方の穴部に挿入されるように形成されており、前記ころ部材の軸方向に垂直な方向から加えられた力に応じて復元力を伴って変形するように形成されている。
【０００７】
また、本発明の第４発明は、請求項４に記載されたとおりのクリップである。
請求項４に記載のクリップは、請求項２または３に記載のクリップであって、前記収容空間には、複数の保持手段が収容され、前記収容空間を形成する前記延設部の内壁において、各保持手段の弾性部材が接する個所に、接した弾性部材を位置決めする位置決め部が設けられている。
【０００８】
また、本発明の第５発明は、請求項５に記載されたとおりのクリップである。
請求項５に記載のクリップは、請求項１〜４のいずれかに記載のクリップであって、前記ころ部材の材質が、金属または樹脂である。
【０００９】
また、本発明の第６発明は、請求項６に記載されたとおりのシャウカステンである。
請求項６に記載のシャウカステンは、光源と、当該光源を収容するケースと、当該ケースの表面に配置されて前記光源からの光を拡散して透過させる略矩形の板状のベース部材とを備え、前記ベース部材の少なくとも１つの辺の縁部に、請求項１〜５のいずれかに記載のクリップが設けられている。
【発明の効果】
【００１０】
請求項１に記載のクリップでは、例えば図６（Ａ）及び（Ｂ）に示すように、ころ部材４０Ａをベース部材３０Ａ（この例では透過光拡散板）の縁部３０ＥＵに対して平行（ころ部材の軸がシート状部材ｆの挿し込み方向に対して垂直）となるように配置して、ころ部材４０Ａが所定値以上の押付け力でベース部材３０Ａに押付けられるように構成する。
そして、ころ部材４０Ａとベース部材３０Ａとの間にシート状部材ｆが挿し込まれると、ころ部材４０Ａは回転しながら当該シート状部材ｆの厚さに相当する距離だけベース部材３０Ａから離れ、所定値以上の押付け力（図６（Ａ）の例では弾性部材４０Ｃの付勢力、図６（Ｂ）の例では弾性部材４０Ｄの付勢力）で挿し込まれたシート状部材ｆを保持する。
この構成により、弾性部材４０Ｃ、４０Ｄにて充分な保持力（押付け力）を備えるとともに、シート状部材ｆを挿し込む際、及び挿し込まれたシート状部材ｆを抜き取る際、ころ部材４０Ａが、シート状部材ｆを挿し込む方向または抜き取る方向に回転するため、挿し込み及び抜き取りを容易に行うことができる。なお、弾性部材４０Ｃ、４０Ｄの材質、形状、径等を変更することで、より広い範囲で保持力（押付け力）を調整することが可能であり、ころ部材４０Ａの径を大きくすることなく保持力を大きくすることができるので小型化が可能である。
【００１１】
請求項２に記載のクリップでは、例えば図４（Ａ）及び（Ｂ）に示すように、ころ部材４０Ａの側面がベース部材３０Ａ（この例では透過光拡散板）の表面と延設部３２ｅにおける傾斜を有した内壁とに接するように配置している。且つ、ころ部材４０Ａが、ころ部材４０Ａの軸を中心に回転可能となるように、ベース部材３０Ａにおけるシート保持フレーム３２Ｕが設けられた側の縁部３０ＥＵから対向する縁部３０ＥＤに向かって、弾性部材４０Ｂにてころ部材４０Ａを付勢する。このため、ころ部材４０Ａがシート状部材ｆをベース部材３０Ａの方向に押付ける充分な保持力（押付け力）を容易に得ることができる。また、シート状部材ｆを挿し込む際、及び挿し込まれたシート状部材ｆを抜き取る際、ころ部材４０Ａが、シート状部材ｆを挿し込む方向（図４（Ａ）及び（Ｂ）では時計方向）または抜き取る方向（図４（Ａ）及び（Ｂ）では反時計方向）に回転するため、充分な保持力を備えた状態にて、挿し込み及び抜き取りを容易に行うことができる。なお、弾性部材４０Ｂの材質、形状、径等を変更することで、より広い範囲で保持力を調整することが可能であり、ころ部材４０Ａの径を大きくすることなく保持力を大きくすることができるので小型化が可能である。
【００１２】
また、請求項３に記載のクリップによれば、弾性部材にて、ころ部材が軸を中心に回転可能となるように、且つころ部材を所定の方向に付勢することが可能となるように、よりシンプルな構造で弾性部材を形成することができる。
【００１３】
また、請求項４に記載のクリップによれば、収容空間内に配置する各保持手段を、容易に適切な位置に位置決めすることができるので、便利である。
【００１４】
また、請求項５に記載のクリップによれば、挿し込まれたシート状部材の保持力、挿し込み及び抜き取りに要する力、コスト等を鑑みて、適切な材質でころ部材を形成することができる。
【００１５】
また、請求項６に記載のシャウカステンによれば、シート状部材の挿し込み及び抜き取りを容易に行うことができるとともに、より小型で且つ挟んだシート状部材の保持力の調整範囲がより広いクリップを備えたシャウカステンを容易に実現することができる。
【発明を実施するための最良の形態】
【００１６】
以下に本発明を実施するための最良の形態を図面を用いて説明する。なお、各図において直交するＸ軸、Ｙ軸、Ｚ軸において、Ｚ軸は鉛直方向を示しており、Ｘ軸はベース部材３０Ａの表面に沿った水平方向を示しており、Ｙ軸はベース部材３０Ａの表面に垂直な水平方向を示している。
●［外観及び概略構成（図１、図２）］
図１は本発明のシャウカステン１の一実施の形態における全体図（概略外観図）を示しており、図２（Ａ）はパネル部３０と本体部１０の概略構造を示しており、図２（Ｂ）はパネル部３０を分解した各構成要素の外形（概略）を示している。
図２（Ａ）に示すように、本発明のシャウカステン１は、前面に略矩形の板状のベース部材３０Ａを備えた前面パネル部３０と、本体部１０にて構成されている（図２参照）。また、本体部１０は複数の光源１２と当該光源１２を収容するケースとで構成されており、本体部１０の開口面（ケース表面）にパネル部３０を組み付けてシャウカステン１を構成している。
シャウカステン１として構成した場合のベース部材３０Ａは、光源１２からの光を拡散させて透過させることで、その表面全体が略均一に発光する。
【００１７】
また図１に示すように、ベース部材３０Ａの少なくとも１つの辺には、挿し込まれたシート状部材ｆ１、ｆ２（フィルム等）の縁部を保持する保持手段４０を内部に収容したシート保持フレーム３２Ｕ（図２（Ｂ）参照）が設けられている。また、図１及び図２（Ａ）に示すように、シャウカステン１には、補助糸３４と補助糸支持部材３３Ｒ、３３Ｌが設けられており、補助糸支持部材３３Ｒ、３３Ｌは、図２（Ｂ）に示すフレーム３２Ｒ、３２Ｌの表面に設けられた案内溝に沿って上下に移動可能である。なお、補助糸３４と補助糸支持部材３３Ｒ、３３Ｌは省略してもよい。
【００１８】
図２（Ｂ）に示すように、パネル部３０は、ベース部材３０Ａ、緩衝部材３１Ｕ、３１Ｒ、３１Ｌ、３１Ｄ、シート保持フレーム３２Ｕ、フレーム３２Ｒ、３２Ｌ、３２Ｄにて構成されている。例えばシャウカステン１として構成した場合のベース部材３０Ａは白色の半透明のアクリル板であり、緩衝部材３１Ｕ〜３１Ｄはラバー製のパッキンであり、シート保持フレーム３２Ｕ、フレーム３２Ｒ〜３２Ｄはアルミ材で形成されている。
パネル部３０を形成するには、ベース部材３０Ａの各縁部３０ＥＵ〜３０ＥＤに緩衝部材３１Ｕ〜３１Ｄを嵌め込み、更に嵌め込んだ各緩衝部材の上からシート保持フレーム３２Ｕ及びフレーム３２Ｒ〜３２Ｄを嵌め込んでパネル部３０を形成している。
本発明のシャウカステン１では、シート保持フレーム３２Ｕと保持手段４０にて構成したクリップの構造に特徴があり、以下にて詳細を説明する。
【００１９】
●［シート保持フレーム３２Ｕと保持手段４０とで構成したクリップの形状及び構造（図３、図４）］
図３（Ａ）はベース部材３０Ａと緩衝部材３１Ｕとシート保持フレーム３２Ｕとを組み付けた部位における詳細形状の斜視図の例を示し、図４（Ａ）及び（Ｂ）は同側面図を示している。
図３（Ａ）、図４（Ａ）及び（Ｂ）に示すように、シート保持フレーム３２Ｕは、ベース部材３０Ａの少なくとも一部の縁部（この例では縁部３０ＥＵ）に沿って、ベース部材３０Ａの表面部の少なくとも一部（この例では縁部３０ＥＵの少なくとも一部の表面部）を覆う延設部３２ｅを有している。また、延設部３２ｅとベース部材３０Ａの表面部との間には保持手段４０を収容する収容空間Ｋが形成されている。
そして図４（Ａ）及び（Ｂ）に示すように、延設部３２ｅは、収容空間Ｋにおけるベース部材３０Ａの表面部と延設部３２ｅの内壁までの距離が、ベース部材３０Ａにおけるシート保持フレーム３２Ｕが設けられた側の縁部３０ＥＵから対向する縁部３０ＥＤに向かって徐々に小さくなるように（図４（Ａ）における距離Ｌａ＞距離Ｌｂ）、ベース部材３０Ａの表面に対して所定角度θの傾斜を有するように形成されている。また、傾斜の先の先端部とベース部材３０Ａとの間隙Ｌｃ（図４（Ａ）参照）が、挿し込まれたシート状部材ｆの厚さＬｆ（図４（Ｂ）参照）よりも大きくなるように形成されている。
【００２０】
図３（Ｂ）は保持手段４０の例を示しており、保持手段４０は、略円柱状のころ部材４０Ａと弾性部材４０Ｂとで構成されている。
図３（Ａ）及び図４（Ａ）に示すように、ころ部材４０Ａは、収容空間Ｋ内において、ベース部材３０Ａの縁部３０ＥＵに対して、ころ部材４０Ａの軸４０Ｘが平行となるように配置されている（挿し込まれるシート状部材ｆの挿し込み方向に対して、ころ部材４０Ａの軸４０Ｘが垂直となるように配置されている）。
そして弾性部材４０Ｂは、ころ部材４０Ａの側面がベース部材３０Ａの表面と延設部３２ｅにおける傾斜を有した内壁とに接するように、ころ部材４０Ａを付勢している（図４（Ａ）参照）。なお、付勢の方向は、ベース部材３０Ａにおけるシート保持フレーム３２Ｕが設けられた側の縁部３０ＥＵから対向する縁部３０ＥＤに向かう方向である（図４（Ａ）参照）。
また、弾性部材４０Ｂは、ころ部材４０Ａが軸４０Ｘを中心として回転可能となるように付勢しているとともに、ころ部材４０Ａとベース部材３０Ａの表面部との間隔が変更可能となるようにころ部材４０Ａを保持している。
【００２１】
図３（Ｂ）に示すように、ころ部材４０Ａの両底面には、ころ部材４０Ａの軸４０Ｘに沿った穴部４１Ｈが形成されている。
また、弾性部材４０Ｂは、略線状のバネ材であり、弾性部材４０Ｂの一方の端部がころ部材４０Ａの一方の穴部４１Ｈに挿入され、且つ弾性部材４０Ｂの他方の端部がころ部材４０Ａの他方の穴部４１Ｈに挿入されるように形成されている。
そして弾性部材４０Ｂは、ころ部材４０Ａの軸４０Ｘの方向に垂直な方向から加えられた力に応じて、復元力を伴って変形するように形成されている（図３（Ｂ）参照）。
【００２２】
本実施の形態では、弾性部材４０Ｂには径０．６［ｍｍ］のステンレス線材を用い、ころ部材４０Ａには径５．０［ｍｍ］の樹脂を用いた。ころ部材４０Ａの材質としては金属（ステンレス、アルミ等）や樹脂等が考えられるが、材質及び形状は、他にも種々の材質や形状とすることが可能である。弾性部材４０Ｂはころ部材４０Ａを回転可能に保持しながら付勢することができればよく、図５（Ａ）〜（Ｃ）の例に示すように、種々の形状が考えられる。また本実施の形態では、シート保持フレーム３２Ｕにアルミ材を用いたが、樹脂等で形成してもよい。
また、図示は省略するが、収容空間Ｋには、ベース部材３０Ａの縁部３０ＥＵに沿って複数の保持手段４０が収容される。ここで、隣り合う保持手段４０の間隔は、挿し込まれるシート状部材ｆの幅（この場合、Ｘ軸方向の長さ）に対して、１個以上の保持手段４０が存在するように配置されることが望ましい。そこで、収容空間Ｋを形成する延設部３２ｅの内壁において弾性部材４０Ｂが接する個所に、接した弾性部材４０Ｂを位置決めする位置決め部を設けると（例えば凹凸等の形状で位置決め部を形成する）、隣り合う保持手段４０の間隔を適切に保つように配置することが容易になり、便利である。
【００２３】
以上に説明した構造のクリップ（シート保持フレーム３２Ｕと保持手段４０とで構成したクリップ）を備えることで、図４（Ｂ）に示すように、シート状部材ｆをベース部材３０Ａと延設部３２ｅとの間隙に挿し込むと、ころ部材４０Ａが回転しながら（図４（Ｂ）の例では時計方向に回転）その位置が縁部３０ＥＵ側にスライドする（図４（Ｂ）の例では距離Ｌｕだけスライドしている）。そして、ころ部材４０Ａは回転しながら当該シート状部材ｆの厚さに相当する距離だけベース部材３０Ａから離れる。
そして弾性部材４０Ｂは変形し、当該変形による付勢力Ｆは、例えば図４（Ｂ）に示す方向と大きさであり、ころ部材４０Ａが、挿し込まれたシート状部材ｆをベース部材３０Ａに押し付ける保持力（押付け力）は、付勢力Ｆに基づいた傾斜した内面に垂直な抗力ＦｒのＹ軸方向の成分になる。
【００２４】
この保持力が所定値以上の押付け力（シート状部材ｆを保持するための充分な大きさの力）を有するように設定すれば、弾性部材４０Ｂの形状に多少のばらつき（例えば０．１［ｍｍ］程度のばらつき）や、ベース部材３０Ａの厚さに多少のばらつき（例えば０．１［ｍｍ］程度のばらつき）や、ベース部材３０Ａから延設部３２ｅの傾斜部の内壁までの距離に多少のばらつき（例えば０．１［ｍｍ］程度のばらつき）等があっても、シート状部材ｆを挿し込む際、及びシート状部材ｆを抜き取る際に、ころ部材４０Ａが回転するため、容易に挿し込みまたは抜き取りを行うことができるとともに、安定した保持力を備えることができる。
本実施の形態にて説明したクリップは、フィルム等のシート状部材ｆを挟んで、当該シート状部材ｆが自重で落下することを防止する。そして、種々の厚さのシート状部材ｆを挟んでも、容易に挿し込みまたは抜き取りを行うことができるとともに、安定した保持力を備えることができる（図７（Ａ）及び（Ｂ）に示す従来構造のクリップでは、シート状部材ｆの厚さが変わると、薄い場合は保持力が不足し、厚い場合は挿し込みが困難となる）。また、シート部材ｆの表面のコーティング材の違いにより、滑りやすいシート状部材ｆであっても、保持力の調整範囲が広く、且つ保持手段４０を容易に交換することが可能であるので、便利である。もちろん、シート状部材ｆとして、種々の厚さの紙を用いることも可能である。本実施の形態にて説明したクリップでは、挿し込むシート状部材ｆの材質、厚さ、重量、表面処理等を限定するものではない。
【００２５】
また、弾性部材４０Ｂの材質、形状、径等を変更することで、より広い範囲で保持力（押付け力）を調整することが可能であり、ころ部材４０Ａの径を大きくすることなく保持力を大きくすることができるので小型化が可能である。
なお、ころ部材４０Ａを弾性部材４０Ｂにて付勢しているため、シート保持フレーム３２Ｕを、ベース部材３０Ａの上部だけでなく、右側面部、左側面部、下部のどの辺に設けても、挿し込まれたシート状部材ｆを適切な保持力で固定することができる。例えば、挿し込むシート状部材の上縁部を保持して吊り下げるだけでなく、シート状部材の左縁部のみを保持することも可能であり、便利である。
また、シート状部材ｆの挿し込み方向及び抜き取り方向に応じた方向にころ部材４０Ａが回転するため、シート状部材ｆが傷つきにくい。
【００２６】
●［（シート保持フレーム３２Ｕと）保持手段４０で構成したクリップにおける他の構造の例（図６）］
次に図６（Ａ）及び（Ｂ）を用いて、クリップ（（シート保持フレーム３２Ｕと）保持手段４０で構成したクリップ）における他の構造の例について説明する。保持手段は上記に説明したように回転するころ部材４０Ａと弾性部材４０Ｃ、４０Ｄで構成され、シート状部材ｆの挿し込みまたは抜き取りの際、挿し込み方向または抜き取り方向に応じてころ部材４０Ａが回転するとともに、当該ころ部材４０Ａとベース部材３０Ａとの間に挿し込まれたシート状部材ｆを所定値以上の押付け力（シート状部材ｆが落下しない押付け力）で保持することができればよい。
図６（Ａ）に示す例は、延設部３２ｅは特に傾斜した面を有しておらず、延設部３２ｅの内壁に弾性部材４０Ｃが固定されており、当該弾性部材４０Ｃにて、ころ部材４０Ａをベース部材３０Ａの方向に付勢している。なお、ころ部材４０Ａは、ベース部材３０Ａの縁部３０ＥＵに対して軸が平行となるように（シート状部材ｆの挿し込み方向に対して軸が垂直となるように）保持されており、当該軸を中心に回転可能となるように保持されている。
そして、ころ部材４０Ａとベース部材３０Ａとの間にシート状部材ｆが挿し込まれると、ころ部材４０Ａは回転しながら当該シート状部材ｆの厚さに相当する距離だけベース部材３０Ａから離れ、所定値以上の押付け力（この場合、弾性部材４０Ｃの付勢力）にて、挿し込まれたシート状部材ｆを保持する。
【００２７】
図６（Ｂ）に示す例は、図６（Ａ）に示す構造からシート保持フレーム３２Ｕ及び緩衝部材３１Ｕを省略し、弾性部材４０Ｄの一方の端部をベース部材３０Ａに固定し、他方の端部でころ部材４０Ａを保持するとともに当該ころ部材４０Ａをベース部材３０Ａの表面部に向けて付勢した例を示している。
ころ部材４０Ａは、ベース部材３０Ａの縁部３０ＥＵに対して軸が平行となるように（シート状部材ｆの挿し込み方向に対して軸が垂直となるように）保持されており、当該軸を中心に回転可能となるように保持されている。
ころ部材４０Ａとベース部材３０Ａとの間にシート状部材ｆが挿し込まれると、ころ部材４０Ａは回転しながら当該シート状部材ｆの厚さに相当する距離だけベース部材３０Ａから離れ、所定値以上の押付け力（この場合、弾性部材４０Ｄの付勢力）にて、挿し込まれたシート状部材ｆを保持する。
以上に説明した本実施の形態では、ころ部材４０Ａの表面加工については特に説明しなかったが、ころ部材４０の表面（シート状部材ｆに接触する側面部）をすりガラス状に加工してもよいし、ころ部材４０の表面（側面部）に、軸４０Ｘと平行な方向の溝を複数本形成してもよい。
【００２８】
なお、（シート保持フレーム３２Ｕと）保持手段４０で構成したクリップ（図６（Ｂ）の例ではシート保持フレーム３２Ｕが省略されている）は、上記に説明したシャウカステン１に限定されず、シート状部材を着脱自在に挿し込み及び抜き取りする種々の用途（例えばシート状の広告紙の掲示板）に適用することが可能である。この場合、ベース部材３０Ａは、保持手段の側に平面状の表面部を有していれば、棒状の形状であってもよく、半透明でなくてもよい。
【００２９】
本発明のクリップ及びシャウカステン１は、本実施の形態で説明した外観、構成、構造、形状、材質等に限定されず、本発明の要旨を変更しない範囲で種々の変更、追加、削除が可能である。例えば、緩衝部材３１Ｕを介してベース部材３０Ａをシート保持フレーム３２Ｕに嵌め込まず、緩衝部材３１Ｕを省略して樹脂等で形成したシート保持フレーム３２Ｕにベース部材３０Ａを嵌め込んでもよい。
本実施の形態の説明に用いた数値は、この数値に限定されるものではない。
本実施の形態の説明では、シート保持フレーム３２Ｕの形状が複雑であるが、ベース部材３０Ａを保持し、保持手段４０を収容する延設部３２ｅを備えていればよい。
【図面の簡単な説明】
【００３０】
【図１】本発明のシャウカステン１の一実施の形態における全体図（概略外観図）である。
【図２】パネル部３０と本体部１０の概略構造、及びパネル部３０を分解した各構成要素の外形（概略）を説明する図である。
【図３】ベース部材３０Ａと緩衝部材３１Ｕとシート保持フレーム３２Ｕとを組み付けた部位における詳細形状の斜視図の例と、保持手段４０の例を説明する図である。
【図４】ベース部材３０Ａと緩衝部材３１Ｕとシート保持フレーム３２Ｕとを組み付けた部位における詳細形状の側面図の例である。
【図５】保持手段４０の形状の例を説明する図である。
【図６】保持手段における他の構造の例を説明する図である。
【図７】従来のシャウカステン１００、１５０、及び掲示物ハンガーにおけるシート状部材を支持するクリップ部の構造を説明する図である。
【符号の説明】
【００３１】
１        シャウカステン
１０      本体部
１２      光源
３０      パネル部
３０Ａ    ベース部材
３０ＥＵ、３０ＥＲ、３０ＥＬ、３０ＥＤ    縁部
３１Ｕ、３１Ｒ、３１Ｌ、３１Ｄ    緩衝部材
３２ｅ    延設部
３２Ｕ    シート保持フレーム
３２Ｒ、３２Ｌ、３２Ｄ    フレーム
３３Ｒ、３３Ｌ    補助糸支持部材
３４      補助糸
４０      保持手段
４０Ａ    ころ部材
４０Ｂ    弾性部材
ｆ、ｆ１、ｆ２    シート状部材（フィルム等）
Ｋ        収容空間
θ        所定角度
【図１】
2007010877.tif 000003
【図２】
2007010877.tif 000004
【図３】
2007010877.tif 000005
【図４】
2007010877.tif 000006
【図５】
2007010877.tif 000007
【図６】
2007010877.tif 000008
【図７】
2007010877.tif 000009